(57)【要約】【課題】噴霧領域を容易に可変にできると共にフード部を着脱して噴霧可能な噴霧ノズルを提供する。【解決手段】噴霧ノズル１は、ノズル基部２と、ノズル先部３と、フラットパターン１０を形成する噴板４と、フラットパターン１０に対応した形状を呈してノズル先部３を覆うフード５と、を備えている。この噴霧ノズル１では、ノズル先部３がノズル基部２に回転可能に固定されており、且つこのノズル先部３に噴板４及びフード５が固定されている。そのため、ノズル先部３を回転することで、噴板４及びフード５が共に回転され、フラットパターン１０の向きとフード５の向きとを常に合わせるようにして噴霧領域が回転されて、噴霧剤が噴霧される。また、この噴霧ノズル１では、フード５がノズル先部３に着脱可能に固定されている。そのため、フード５脱時においても噴霧剤の噴霧が可能となっている。【選択図】図３
2008207074.tif 000002
【特許請求の範囲】
【請求項１】
所定の噴霧パターン（１０）で噴霧剤を噴霧するための噴霧ノズル（１）であって、
ノズル基部（２）と、
前記ノズル基部（２）に回転可能に固定されたノズル先部（３）と、
前記ノズル先部（３）に固定され、前記所定の噴霧パターン（１０）を形成する噴板部（４）と、
前記ノズル先部（３）に着脱可能に固定され、前記所定の噴霧パターン（１０）に対応した形状を呈して前記ノズル先部（３）を覆うフード部（５）と、を備えたことを特徴とする噴霧ノズル。
【請求項２】
前記ノズル先部（３）と協働して前記ノズル基部（２）を挟持するプレート（６）を有し、
前記フード部（５）は、前記プレート（６）と前記ノズル基部（２）及び前記ノズル先部（３）とに挟持され着脱可能に固定されていることを特徴とする請求項１記載の噴霧ノズル。
【請求項３】
前記噴板部（４）及び前記フード部（５）が回転方向に一定の位置関係となるように、前記噴板部（４）及び前記フード部（５）を前記ノズル先部（３）に対してそれぞれ位置決めする位置決め手段（７，８，９）を有することを特徴とする請求項１又は２記載の噴霧ノズル。
【発明の詳細な説明】
【技術分野】
【０００１】
本発明は、噴霧ノズルに関し、特に、フード部を備える噴霧ノズルに関する。
【背景技術】
【０００２】
従来、噴霧ノズルとして、噴霧剤を噴霧するノズル部と、当該ノズル部に取り付けられ先端側が大きく噴霧ノズル側が小さい構造のフード部と、を備えたものが知られている（例えば、特許文献１参照）。このような噴霧ノズルでは、フード部により、噴霧剤の飛散を防止すると共に、噴霧剤の必要処理量を低減することが図られている。
【特許文献１】特開平１１−５６２０５号公報
【発明の開示】
【発明が解決しようとする課題】
【０００３】
しかしながら、上述したような噴霧ノズルでは、噴霧剤が噴霧される噴霧領域が一定であることから、例えばうね間に噴霧剤を散布する場合、うね間の幅の変化に対応して噴霧剤を散布することが困難である。そのため、うね間以外の領域にも噴霧剤が散布されてしまうおそれがある。
【０００４】
また、例えば広い領域にて噴霧剤を散布する場合、作業効率向上の観点からフード部を備えないものが好ましいため、近年、フード部を着脱して噴霧可能な噴霧ノズルが特に望まれている。
【０００５】
そこで、本発明は、噴霧領域を容易に可変にできると共にフード部を着脱して噴霧可能な噴霧ノズルを提供することを課題とする。
【課題を解決するための手段】
【０００６】
上記課題を解決するために、本発明に係る噴霧ノズルは、所定の噴霧パターン（１０）で噴霧剤を噴霧するための噴霧ノズル（１）であって、ノズル基部（２）と、ノズル基部（２）に回転可能に固定されたノズル先部（３）と、ノズル先部（３）に固定され、所定の噴霧パターン（１０）を形成する噴板部（４）と、ノズル先部（３）に着脱可能に固定され、所定の噴霧パターン（１０）に対応した形状を呈してノズル先部（３）を覆うフード部（５）と、を備えたことを特徴とする。
【０００７】
本発明に係る噴霧ノズルでは、ノズル先部（３）がノズル基部（２）に回転可能に固定されており、また、このノズル先部（３）に噴板部（４）及びフード部（５）が固定されている。これにより、ノズル先部（３）を回転することで、噴板部（４）及びフード部（５）が回転され、噴霧パターン（１０）の向きとフード部（５）の向きとを常に合わせるようにして噴霧領域が回転されて、噴霧剤が噴霧されることになる。さらに、フード部（５）がノズル先部（３）に着脱可能に固定されているため、フード部（５）脱時においても噴霧剤が噴霧可能とされている。従って、本発明に係る噴霧ノズルによれば、噴霧領域を容易に可変にできると共にフード部（５）を着脱して噴霧することができる。
【０００８】
ここで、ノズル先部（３）と協働してノズル基部（２）を挟持するプレート（６）を有し、フード部（５）は、プレート（６）とノズル基部（２）及びノズル先部（３）とに挟持され着脱可能に固定されていることが好ましい。この場合、フード部（５）の着時には、ノズル先部（３）とフード部（５）及びプレート（６）とでノズル基部（２）を挟持することができ、ノズル先部（３）をノズル基部（２）に回転可能に固定することができる。一方、フード部（５）の脱時には、ノズル先部（３）とプレート（６）とでノズル基部（２）を挟持することができ、ノズル先部（３）をノズル基部（２）に回転可能に固定することができる。
【０００９】
また、噴板部（４）及びフード部（５）が回転方向に一定の位置関係となるように、噴板部（４）及びフード部（５）をノズル先部（３）に対してそれぞれ位置決めする位置決め手段（７，８，９）を有することが好ましい。この場合、噴霧パターン（１０）の向きとフード部（５）の向きとを容易且つ好適に合わせることができる。
【発明の効果】
【００１０】
本発明によれば、噴霧領域を容易に可変にできると共にフード部を着脱して噴霧することが可能となる。
【発明を実施するための最良の形態】
【００１１】
以下、添付図面を参照して、本発明の好適な実施形態について詳細に説明する。なお、図面の説明において同一又は相当要素には同一符号を付し、重複する説明は省略する。
【００１２】
図１は本発明の一実施形態に係る噴霧ノズルを含む噴霧器を示す一部概略図、図２〜図４は図１の噴霧器における噴霧ノズルを示す縦断面図、横断面図、下面図、図５は図１の噴霧器における噴霧ノズルのプレートを示す上面図である。この噴霧器は、噴霧剤として薬液等を散布する作業器として主に用いられるものであり、ここでは、うね間への除草剤の散布に用いられる。
【００１３】
図１に示すように、噴霧器５０は、噴霧ホース５１、バルブ５２、ノズルランス５３及び噴霧ノズル１を備えており、ポンプ（不図示）により供給された除草剤が、噴霧ホース５１、バルブ５２及びノズルランス５３を順に通り、噴霧ノズル１により噴霧され散布される。なお、以下の説明において、「上」又は「下」とは、除草剤の上流又は下流を意味し、「回転方向」とは、噴霧方向（図２の下方）を軸としたときの周方向を意味する。
【００１４】
図２〜図４に示すように、噴霧ノズル１は、除草剤の飛散を防止するフード（フード部）５を備えたいわゆるフード付き噴霧ノズルであり、所定の噴霧パターン（ここでは、下方から見て長方形形状のフラットパターン１０）で除草剤を噴霧する。この噴霧ノズル１は、図２及び図３に示すように、上から下に向かってノズル基部２、ノズル先部３及び噴頭部１１を備え、これらの内部には、流路１２，１３，１４がそれぞれ形成されている。そして、流路１２，１３，１４は、除草剤がこの順で通るように連通している。
【００１５】
図２に示すように、ノズル基部２の上端部には、図１に示すノズルランス５３が螺合され取り付けられるランス取付部１８が設けられている。一方、ノズル基部２の下端部には、フランジ部１５が設けられている。フランジ部１５の下端面１５ａには、ノズル先部３の上端面３ｂが当接している。また、ノズル基部２においてフランジ部１５の上端面１５ｂの上側には、当該フランジ部１５と連続すると共に、上方から見た外形が円形を成す円筒部２５が設けられている。
【００１６】
ノズル先部３の上端面３ｂには、円環状のＯリング１６が設けられており、このＯリング１６により、ノズル基部２の流路１２及びノズル先部３の流路１３の液密化が図られている。また、図３に示すように、ノズル先部３は、その上端面３ｂに、ボス１７，１７を有している。このボス１７，１７は、ノズル先部３のフード長手方向（図３の左右方向）における両端側にそれぞれ設けられ、フランジ部１５の下端面１５ａにノズル先部３の上端面３ｂが当接された状態にて、当該フランジ部１５の上端面１５ｂと同一の高さまで突出する構成とされている。ボス１７の上端面１７ｂ及び上記フランジ部１５の上端面１５ｂには、ノズル基部２の円筒部２５を囲むようにプレート６及びフード５が上方からこの順で載置されている。
【００１７】
プレート６は、板状を成し、図５に示すように、上方視において略楕円状を呈している。プレート６は、上方視において、その中央に設けられた円形の開口２０と長軸方向における両端部に設けられた孔２１,２１とを有している。このプレート６は、図３に示すように、フード５における後述する基壁部２２の上面に重なるようにして配置され、ノズル基部２の円筒部２５が開口２０に挿通されている。
【００１８】
フード５は、長方形板状の基壁部２２と、基壁部２２の縁に連続し下方に向けて拡がる側壁部２３と、により構成されており、この側壁部２３は、図４に示すように、下方から見て長方形形状を呈するように拡がっている。つまり、フード５は、フラットパターン１０に対応した笠形状を呈している。また、基壁部２２の中央には、円形の開口２４が開口されており、基壁部２２において長手方向の両端部には、孔（位置決め手段）７，７がそれぞれ設けられている。
【００１９】
図３に示すように、このフード５は、ノズル先部３及び噴頭部１１を覆い、開口２４にノズル基部２の円筒部２５が挿通されている。そして、フード５の基壁部２２の上面にプレート６が重ねられ、プレート６の孔２１及びフード５の孔７にタッピン螺子１９が挿入され、ノズル先部３におけるボス１７に螺合することで、プレート６及びフード５がボス１７に固定されている。これにより、ボス１７に固定されたプレート６及びフード５は、ノズル先部３の上端面３ｂと協働してノズル基部２を挟持して固定する。よって、タッピン螺子１９を緩めることで、ノズル先部３のノズル基部２に対する回転方向の固定を解除し、プレート６、フード５及びノズル先部３を一体的に回転して、ノズル先部３の回転方向の角度を自在に調整でき、タッピン螺子１９を締めることで、当該ノズル先部３をプレート６及びフード５と共にノズル基部２に固定することできる。つまり、ノズル先部３をノズル基部２に回転可能に固定することができる。
【００２０】
また、フード５は、プレート６とノズル基部２及びノズル先部３とに挟持されているため、タッピン螺子１９の螺合をノズル先部３から解除することで、取り外すことができる。なお、フード５の内面には、フード５の剛性を高める板状の補強板２６が設けられている。
【００２１】
また、ノズル先部３の下端部には、挿入口２７が設けられている。この挿入口２７には、パッキン２８及びストレーナ２９を介在させて噴頭部１１の上端部が挿入され嵌合されている。このパッキン２８により、ノズル先部３の流路１３及び噴頭部１１の流路１４の液密化が図られている。ストレーナ２９は、除草剤に混入された異物を捕捉して、噴霧ノズルの目づまりを防止する。また、ノズル先部３の下端面３ａには、凹部（位置決め手段）８が設けられている。この凹部８には、噴頭部１１の上端部に設けられた凸部（位置決め手段）９が嵌合されており、これにより、ノズル先部３と噴頭部１１とが回転方向に互いに係合され位置決めされる。
【００２２】
噴頭部１１は、ノズル先部３に回転方向に位置決めされた状態でキャップ３２をノズル先部３にねじ込むことで固定されており、その流路１４において上側には、オリフィス３３が配設されている。オリフィス３３は、流路面積を狭める絞り機構であり、除草剤の流量を制御する。また、噴頭部１１の下端面１１ｂには、Ｏリング３４及び噴板（噴板部）４がこの順で上から重ねられ、Ｏリング３４及び噴板４は、キャップ３５を噴頭部１１にねじ込むことで噴頭部１１に固定されている。Ｏリング３４は、噴頭部１１の流路１４及び噴頭部１１と噴板４との間の流路の液密化を図るものである。噴板４は、フラットパターン１０を形成して外部に除草剤を噴霧する。
【００２３】
このように構成された噴霧器５０においては、図８に示すように、例えば、その幅が大小変化しているうね間Ｌ１及びうね間Ｌ２に除草剤を散布する場合、うね幅が大きいうね間Ｌ１に散布するときには、通常の使用態様（上方視においてフード５の長手方向がうね間の幅方向と一致した態様）にて除草剤を噴霧することにより、通常の噴霧領域状態（噴霧領域の長手方向がうね間の幅方向と一致した状態）で除草剤が噴霧される。
【００２４】
一方、うね幅が小さいうね間Ｌ２に散布するときには、上述したように、ノズル先部３がノズル基部２に回転可能に固定され、且つ、ノズル先部３にフード５が固定（タッピン螺子１９を介して回転方向及び上下方向に連結）されている共にノズル先部３に噴板４が固定されているため、タッピン螺子１９を緩めてノズル先部３を回転することで噴板４及びフード５が共に回転され、フラットパターン１０の向きとフード５の向きとを常に合わせるようにして噴霧領域が回転されてから固定され、うね間Ｌ２に除草剤が噴霧されることになる。
【００２５】
また、上述したように、フード５は、プレート６とノズル基部２及びノズル先部３とに挟持され着脱可能に固定されているため、フード５脱時には、図６及び図７に示すように、ノズル先部３とプレート６とでノズル基部２のフランジ部１５を挟持することになり、ノズル先部３がノズル基部２に回転可能に固定される。従って、フード５着脱時のそれぞれにおいて、除草剤が噴霧可能とされる。
【００２６】
以上、本実施形態によれば、噴霧領域を容易に可変にでき、よって、うね間の幅の変化に対応して除草剤を散布することができると共に、フード５を着脱して噴霧することができる。よって、作業形態に合わせてフード５の有無を選択することにより、作業効率を向上することができると共に、フード無し噴霧ノズルを別途に購入する必要がないためにコスト低下が可能となる。
【００２７】
また、本実施形態では、上述したように、噴板４及びフード５がノズル先部３に対してそれぞれ位置決めされ、噴板４及びフード５が回転方向に一定の位置関係となっている。そのため、互いに相関関係があるフラットパターン１０の向きとフード５の向きとを容易且つ好適に合わせることができ、噴霧をフード５にかからないようにすることができる。
【００２８】
なお、本実施形態のプレート６は、その取り外しが容易である。従って、プレート６は、取り扱い性が高く、且つ作業者を選ばず誰でも使用することができるものといえる。また、上述したように、プレート６は単純形状とされていることから、プレート６を安価とすることができ、よって、プレート６によるコストメリットは大きいともいえる。
【００２９】
以上、本発明の好適な実施形態について説明したが、本発明は上記実施形態に限定されるものではない。
【００３０】
例えば、上記実施形態では、プレート６及びフード５をタッピン螺子１９でボス１７に固定したが、蝶螺子等で固定してもよい。この場合、噴霧剤の散布現場にてノズル先部を容易に回転させることが可能となる。
【００３１】
また、上記実施形態は、噴霧剤として薬液を噴霧するものであるが、噴霧剤は、液体であっても粉末であってもよい。
【図面の簡単な説明】
【００３２】
【図１】本発明の一実施形態に係る噴霧ノズルを含む噴霧器を示す一部概略図である。
【図２】図１の噴霧器における噴霧ノズルを示す縦断面図である。
【図３】図１の噴霧器における噴霧ノズルを示す横断面図である。
【図４】図１の噴霧器における噴霧ノズルを示す下面図である。
【図５】図１の噴霧器における噴霧ノズルのプレートを示す上面図である。
【図６】図１の噴霧器における噴霧ノズルのフード脱時の縦断面図である。
【図７】図１の噴霧器における噴霧ノズルのフード脱時の横断面図である。
【図８】図１の噴霧器を用いてうね間に除草剤を散布する場合を説明するための図である。
【符号の説明】
【００３３】
１…噴霧ノズル、２…ノズル基部、３…ノズル先部、４…噴板（噴板部）、５…フード（フード部）、６…プレート、７…孔（位置決め手段）、８…凹部（位置決め手段）、９…凸部（位置決め手段）、１０…フラットパターン（所定の噴霧パターン）。
【図１】
2008207074.tif 000003
【図２】
2008207074.tif 000004
【図３】
2008207074.tif 000005
【図４】
2008207074.tif 000006
【図５】
2008207074.tif 000007
【図６】
2008207074.tif 000008
【図７】
2008207074.tif 000009
【図８】
2008207074.tif 000010